(57)【要約】【課題】多大なエネルギーの投入や付帯設備の導入をすることなく、有機性汚泥の消化処理効率を向上できる汚泥処理システムおよび汚泥処理方法の提供。【解決手段】実施形態の汚泥処理システムは、可溶化処理槽と、消化槽と、を持つ。前記可溶化処理槽は、有機性汚泥とヌクレアーゼ含有水とを撹拌混合して前記有機性汚泥を可溶化する、可溶化処理を行う。前記消化槽は、可溶化処理した有機性汚泥を消化処理する。【選択図】図１
2018153788.tif 000002
【特許請求の範囲】
【請求項１】
有機性汚泥およびヌクレアーゼ含有水を撹拌混合して前記有機性汚泥を可溶化処理する可溶化処理槽と、
可溶化処理した有機性汚泥を消化処理する消化槽と、
を備える汚泥処理システム。
【請求項２】
ヌクレアーゼ含有水を貯留するヌクレアーゼ含有水貯留槽と、
前記ヌクレアーゼ含有水貯留槽内のヌクレアーゼ含有水を前記可溶化処理槽に送る送水手段と、
を備える請求項１に記載の汚泥処理システム。
【請求項３】
ヌクレアーゼを分泌する生体触媒または細胞表面にヌクレアーゼを提示した生体触媒を培養する生体触媒培養槽と、
前記生体触媒培養槽内のヌクレアーゼ含有水を前記可溶化処理槽に送る送水手段と、
を備える請求項１に記載の汚泥処理システム。
【請求項４】
前記送水手段を制御する制御手段を備える請求項２または請求項３に記載の汚泥処理システム。
【請求項５】
前記制御手段が、前記可溶化処理槽に送られる有機性汚泥の汚泥濃度および流量に基づいて、前記可溶化処理槽に供給するヌクレアーゼ含有水中のヌクレアーゼが、１ｍｇの有機性汚泥（揮発性浮遊性物質（ＶＳＳ）換算）に対して、１〜５Ｕとなるように、または、ヌクレアーゼ含有水中の細胞表面にヌクレアーゼを提示した生体触媒が、１ｍｇの有機性汚泥（揮発性浮遊性物質（ＶＳＳ）換算）に対して、細胞数で１．０×１０５〜３．０×１０６となるように、前記送水手段を制御するものである請求項４に記載の汚泥処理システム。
【請求項６】
有機性汚泥およびヌクレアーゼ含有水を撹拌混合して前記有機性汚泥を可溶化処理する可溶化処理工程と、
可溶化処理した有機性汚泥を消化処理する消化処理工程と、
を備える汚泥処理方法。
【請求項７】
前記可溶化処理工程が、１ｍｇの有機性汚泥（揮発性浮遊性物質（ＶＳＳ）換算）に対して、ヌクレアーゼを１〜５Ｕ含むヌクレアーゼ含有水または細胞表面にヌクレアーゼを提示した生体触媒を細胞数で１．０×１０５〜３．０×１０６含むヌクレアーゼ含有水のいずれか一方と、有機性汚泥とを撹拌混合する工程である請求項６に記載の汚泥処理方法。
【発明の詳細な説明】
【技術分野】
【０００１】
本発明の実施形態は、汚泥処理システムおよび汚泥処理方法に関する。
【背景技術】
【０００２】
排水処理場における有機性排水の処理では、一般に、好気性微生物が有機性排水を好気処理する、活性汚泥法による生物処理が行われる。活性汚泥法では、過剰に増殖した好気性微生物が、余剰汚泥として生成する。この余剰汚泥は、排水処理場の最初沈殿池で沈殿した有機物等とともに、有機性汚泥として汚泥処理施設に送られて処理される。
【０００３】
汚泥処理施設に送られた有機性汚泥は、消化槽で消化処理されてバイオガスと消化汚泥とに分解される。バイオガスは、全量の６０％〜７０％がメタンガスであり、残部が二酸化炭素等である。近年では、バイオガスに含まれるメタンガスを、発電機やボイラの燃料として使用して、エネルギーとして回収することが行われている。しかしながら、消化処理における有機性汚泥のメタンガス変換効率が３０％〜３５％程度と低いという課題がある。また、消化処理に時間がかかり、消化槽での滞留時間が２０日〜３０日と長期間であること等の課題がある。
【０００４】
そのため、消化処理における有機性汚泥のメタンガス変換効率を向上させるために、有機性汚泥を低分子化、可溶化する可溶化処理を行ってから、消化処理が行われている。有機性汚泥を低分子化する可溶化処理技術としては、例えば、オゾン、アルカリ剤、超音波破砕による可溶化処理技術が知られている。しかしながら、これらの技術はいずれも、多大なエネルギー投入、薬剤投入、付帯設備の導入等が必要であるという課題がある。
【先行技術文献】
【特許文献】
【０００５】
【特許文献１】特開２００５−１６９３２９号公報
【特許文献２】特開２００１−３２７９９８号公報
【特許文献３】特開２００８−２６４６５０号公報
【特許文献４】特開２００４−８８９２号公報
【特許文献５】特開２０１５−１００７６４号公報
【発明の概要】
【発明が解決しようとする課題】
【０００６】
本発明が解決しようとする課題は、多大なエネルギーの投入や大掛かりな付帯設備の導入をすることなく、有機性汚泥の消化処理効率を向上できる汚泥処理システムおよび汚泥処理方法を提供することである。
【課題を解決するための手段】
【０００７】
実施形態の汚泥処理システムは、可溶化処理槽と、消化槽と、を持つ。
前記可溶化処理槽は、有機性汚泥およびヌクレアーゼ含有水を撹拌混合して前記有機性汚泥を可溶化処理する。
前記消化槽は、可溶化処理した有機性汚泥を消化処理する。
【図面の簡単な説明】
【０００８】
【図１】第１の実施形態における汚泥処理システムの概要図。
【図２】有機性汚泥に含まれるフロックの構造の一例を示す説明図。
【図３】様々な酵素を用いて可溶化処理を行った場合の、消化処理工程におけるバイオガス発生量を示す図。
【図４】第２の実施形態における汚泥処理システムの概要図。
【図５】第３の実施形態における汚泥処理システムの概要図。
【図６】第３の実施形態に好適に用いられる生体触媒の説明図。
【図７】第４の実施形態における汚泥処理システムの概要図。
【図８】ヌクレアーゼ添加量とバイオガス発生量との関係を示す図。
【図９】第５の実施形態における汚泥処理システムの概要図。
【図１０】生体触媒添加量とバイオガス発生量との関係を示す図。
【発明を実施するための形態】
【０００９】
以下、実施形態の汚泥処理システムおよび汚泥処理方法を、図面を参照して説明する。
【００１０】
（第１の実施形態）
図１は、第１の実施形態である汚泥処理システムを示す図である。
本実施形態の汚泥処理システム１００は、可溶化処理槽２と、消化槽３と、を備える。
汚泥処理システム１００は、図１に示すように、ヌクレアーゼ含有水貯留槽１と、脱水装置４と、を備えていてもよい。
【００１１】
ヌクレアーゼ含有水貯留槽１は、ヌクレアーゼ含有水が貯留されている槽である。なお、本実施形態においてヌクレアーゼ含有水とは、ヌクレアーゼを含有する水のことである。ヌクレアーゼ含有水貯留槽１は、ヌクレアーゼ含有水供給ライン５０を介して可溶化処理槽２と接続されている。
【００１２】
可溶化処理槽２は、図示略の排水処理施設から有機性汚泥送泥ライン５１を介して送られた有機性汚泥と、ヌクレアーゼ含有水とを撹拌混合して、有機性汚泥を可溶化処理する槽である。なお、本実施形態において、可溶化処理とは、有機性汚泥に含まれる少なくとも一部を可溶化する処理である。
可溶化処理槽２は、有機性汚泥とヌクレアーゼ含有水とを撹拌混合するための、図示略の撹拌装置を備えている。撹拌装置としては、例えば、撹拌翼を回転させる攪拌機、ガス撹拌機等が挙げられる。また、可溶化処理槽２は、ヌクレアーゼ含有水中のヌクレアーゼが活性化するための手段を備えていることが好ましい。この手段としては、例えば、温度調整手段やｐＨ調整手段が挙げられる。
【００１３】
可溶化処理槽２は、有機性汚泥送泥ライン５１を介して、図示略の排水処理施設と接続されている。また、可溶化処理槽２は、可溶化汚泥送泥ライン５２を介して消化槽３と接続されている。
【００１４】
消化槽３は、可溶化処理槽２から送泥された有機性汚泥を、嫌気性微生物によって、二酸化炭素やメタンガスを含むバイオガスと、消化汚泥とに分解させる、消化処理を行う槽である。消化槽３内の運転温度は、嫌気性微生物の消化処理が効率的に行われる温度である、３７〜５５℃であることが好ましい。そのため、消化槽３は、温度調整手段を備えていることが好ましい。
消化槽３は、消化汚泥送泥ライン５３を介して脱水装置４と接続されている。また、消化槽３は、バイオガス送気ライン５４を介して、消化槽３外にバイオガスを排出できるようになっている。
【００１５】
脱水装置４は、消化槽３から送泥された消化汚泥を脱水して脱水汚泥と脱離液とに固液分離する槽である。なお、脱水装置４としては、例えば、ベルトプレス脱水機、フィルタープレス脱水機、ロータリープレス脱水機、スクリュープレス脱水機、遠心分離脱水機、多重円板脱水機等が挙げられる。
脱水装置４は、図示略の脱水汚泥送泥ラインを介して、脱水装置４外に脱水汚泥を排出できるようになっている。また、脱水装置４は、図示略の脱離液送液ラインを介して、脱離液を脱水装置４外に排出できるようになっている。
【００１６】
次に、本実施形態の汚泥処理システム１００のそれぞれの構成要素の作用を説明すると共に、当該汚泥処理システム１００を用いた汚泥処理方法について説明する。
【００１７】
本実施形態の汚泥処理方法は、有機性汚泥およびヌクレアーゼを撹拌混合して可溶化処理する可溶化処理工程と、可溶化処理した有機性汚泥を消化処理する消化処理工程と、を有する。
【００１８】
より詳細には、可溶化処理槽２で、有機性汚泥とヌクレアーゼ含有水とを撹拌混合して、有機性汚泥をヌクレアーゼの働きにより可溶化処理する可溶化処理工程と、消化槽３で、可溶化処理工程にて可溶化処理した有機性汚泥を消化処理して、消化汚泥およびバイオガスを得る消化処理工程と、を有する。
【００１９】
また、本実施形態の汚泥処理方法は、脱水装置４で、消化処理工程で生じた消化汚泥を脱水して脱水汚泥および脱離液を得る脱水工程を有していてもよい。
【００２０】
可溶化処理工程は、可溶化処理槽２で、排水処理施設から送られた有機性汚泥と、ヌクレアーゼ含有水貯留槽１から送られたヌクレアーゼ含有水とを撹拌混合して、有機性汚泥を可溶化処理する工程である。
【００２１】
排水処理施設から汚泥処理設備に送られる有機性汚泥には、余剰汚泥が含まれている。この余剰汚泥は、微生物フロックが主な組成となっている。図２は、余剰汚泥に含まれるフロックの構造を模式的に示した図である。図２に示すように、微生物フロックは、細胞質１ａ（炭水化物、タンパク質、核酸）、細胞膜２ａ（脂質）、細胞壁３ａ（ペプチドクリカン）、粘性物質４ａ（タンパク質、多糖類、核酸）で構成される。余剰汚泥中の微生物フロックは、微生物自身が分泌する粘性物質４ａにより囲まれている。この粘性物質が微生物を囲むように微生物を守っている。粘性物質４ａに囲まれた微生物は、嫌気性微生物が分解するのに時間がかかる。
【００２２】
この粘性物質４ａは主に、タンパク質、多糖類、核酸によって構成されている。そのため、核酸分解酵素であるヌクレアーゼが、この粘性物質４ａを分解することができる。これにより、有機性汚泥に含まれる微生物フロックが可溶化処理される。
【００２３】
可溶化処理槽２で可溶化処理された有機性汚泥は、可溶化汚泥送泥ライン５２を介して消化槽３に送られる。
【００２４】
消化処理工程は、消化槽３で、可溶化処理槽２から送られた有機性汚泥を消化処理して、消化汚泥とバイオガスとを得る工程である。可溶化処理された有機性汚泥は、消化槽３内に存在する嫌気性微生物の、加水分解菌および酸生成菌により、更なる低分子化と酸生成が行われ、酢酸等の低分子有機酸となる。この低分子有機酸が、消化槽３内に存在するメタン生成菌の働きにより、メタンガスに転換される。
【００２５】
なお、消化処理工程における消化槽３の運転温度は、嫌気性微生物の活性温度である３７〜５５℃とすることが好ましい。
消化汚泥処理工程で生じた消化汚泥は、消化汚泥送泥ライン５３を介して脱水装置４に送られる。一方、消化処理工程で生じたバイオガスは、図示略のバイオガス送気ラインを介して消化槽３外に排出される。
【００２６】
脱水工程は、脱水装置４で、消化処理工程で生じた消化汚泥を脱水して、脱水汚泥および脱離液を得る工程である。
消化槽３から送られた消化汚泥は、脱水されて、脱水汚泥と脱離液とに分離する。脱水工程で生じた脱水汚泥は脱水汚泥送泥ラインを介して、図示略の乾燥装置に送られて乾燥された後、廃棄される。一方、脱離液は、脱離液送液ラインを介して、図示略の排水処理施設に送られて処理される。
【００２７】
なお、上述した実施形態では、ヌクレアーゼ含有水供給ライン５０を、ポンプを備える送水手段とし、この送水手段を制御する制御手段をさらに備えていてもよい。この場合、制御手段は、可溶化処理槽２に供給するヌクレアーゼ含有水の供給量が、適正供給量となるように、送水手段を制御するとよい。
【００２８】
以上の構成によれば、有機性汚泥とヌクレアーゼ含有水とを撹拌混合する可溶化処理を行い、有機性汚泥を可溶化し、可溶化した有機性汚泥を消化処理するため、多大なエネルギーの投入や付帯設備の導入等をすることなく、有機性汚泥の消化処理効率を向上できる。そのため、有機性汚泥の消化処理におけるメタンガス変換効率を向上することができ、また、消化汚泥の生成量を低減できる。
【００２９】
また、可溶化処理を行うことによって、有機性汚泥の消化処理効率が向上し、消化槽３における有機性汚泥の滞留時間を短縮することができる。さらに、有機性汚泥の消化処理効率が向上することにより、消化槽３の規模を縮小することが可能となる。
【００３０】
また、ヌクレアーゼ含有水を使用して有機性汚泥を低分子化しているため、従来の低分子化技術（オゾン、超音波破砕、水熱処理等）に比べて、大掛かりな装置等が不要となる。これにより、大掛かりな装置等の導入に要するコストや運転コストを削減できる。
【００３１】
また、有機性汚泥を低分子化するため、消化処理において、有機性汚泥の消化処理が効率的に行われる。すると、メタンガスの生成量が多くなるとともに、消化汚泥の生成量が少なくなる。これにより、最終処分する汚泥量を少なくすることができる。そのため、汚泥の最終処分に要する焼却等のコストを削減することができる。
【００３２】
また、ヌクレアーゼを用いて、有機性汚泥を低分子化、可溶化しているため、ヌクレアーゼ以外の酵素を使用した場合に比べて、可溶化効率を向上させことができる。図３は、酵素添加による可溶化処理（可溶化処理）を行わない場合、可溶化処理にヌクレアーゼを使用した場合、その他の酵素を用いて可溶化処理を行った場合の、それぞれを消化処理して生成したバイオガス発生量を示す図である。可溶化処理は、それぞれの酵素と有機性汚泥とを、３５℃で、３０分撹拌混合して行った。また、消化処理は、それぞれ可溶化処理した有機性汚泥を、消化槽の運転温度を３７〜５５℃として行った。
なお、図３中のＶＳＳとは、揮発性浮遊性物質（Ｖｏｌａｔｉｌｅ  Ｓｕｓｐｅｎｄｅｄ  Ｓｏｌｉｄ）であり、有機性固形物の総量の目安となる指標である。
【００３３】
図３から、ヌクレアーゼを使用して可溶化処理を行った場合が、バイオガス発生量が一番多くなっていることが分かる。これは、可溶化処理工程で使用する酵素としてヌクレアーゼを用いることによって、他の酵素を用いた場合と比べて、有機性汚泥の可溶化効率が向上し、消化処理効率が向上したためだと考えられる。これにより、ヌクレアーゼを使用して可溶化処理を行うことによって、有機性汚泥の可溶化効率を向上することができ、消化処理効率を向上できることが分かる。
【００３４】
（第２の実施形態）
本実施形態の汚泥処理システムを、図面を参照して説明する。なお、以下の説明では、図１に示した汚泥処理システム１００と同一または類似の機能を有する構成に同一の符号を付す。そして、それら構成の重複する説明は省略する。
【００３５】
図４の汚泥処理システム２００は、汚泥処理システム１００と同様に、可溶化処理槽２と、消化槽３と、を備える。
また、汚泥処理システム２００は、第１生体触媒培養槽５と、送水手段２０と、を備える。なお、送水手段２０は、ポンプＰ１と、上澄み水送水ライン２１と、を備える。
汚泥処理システム２００は、図４に示すように、脱水装置４と、基質槽６と、を備えていてもよい。
【００３６】
第１生体触媒培養槽５は、遺伝子組み換えによってヌクレアーゼ生産機能を持つ遺伝子情報を導入した宿主微生物（生体触媒）を培養する槽である。
【００３７】
なお、宿主微生物としては、例えば、Ｐｓｅｕｄｏｍｏｎａｓ  ａｌｃａｌｉｇｅｎｅｓ、Ｐ．ｐｕｔｉｄａ、Ｐ．ｄａｃｕｎｈａｅ等のＰｓｅｕｄｏｍｏｎａｓ属のグラム陰性細菌；Ｇｌｕｃｏｎｏｂａｃｔｅｒ  ｍｅｌａｎｏｇｅｎｅｓ、Ｇ．ｏｘｙｄａｎｓ等のＧｌｕｃｏｎｏｂａｃｔｅｒ属のグラム陰性細菌；Ａｌｃａｌｉｇｅｎｅｓ  ｅｕｔｒｏｐｈｕｓ等のＡｌｃａｌｉｇｅｎｅｓ属のグラム陰性細菌；Ａｃｅｔｏｂａｃｔｅｒ  ｓｕｂｏｘｙｄａｎｓ等の酢酸菌；Ｅｓｃｈｅｒｉｃｈｉａ  ｃｏｌｉ、Ｅ．ｆｒｅｕｎｄｉｉ、Ｅｎｔｅｒｏｂａｃｔｅｒ  ａｅｒｏｇｅｎｅｓ等の大腸菌群細菌；Ｅｒｗｉｎｉａ  ｃａｒｏｔｏｖｏｒａ、Ｓｅｒｒａｔｉａ  ｍａｒｃｅｓｃｅｎｓ、Ｐｒｏｔａｍｉｎｏｂａｃｔｅｒ  ｒｕｂｒｕｍ、Ｐｒｏｔｅｕｓ  ｍｉｒａｂｉｌｉｓ等のその他のグラム陰性細菌などを挙げることができる。
また、Ｓｔｒｅｐｔｏｃｏｃｃｕｓ  ｆａｅｃａｌｉｓ、Ｌｅｕｃｏｎｏｓｔｏｃ  ｍｅｎｓｅｎｔｅｒｏｉｄｅｓ、Ｌａｃｔｏｂａｃｉｌｌｕｓ  ｄｅｌｂｒｕｃｋｉｉ等の乳酸菌；Ｂａｃｉｌｌｕｓ  ｓｕｂｔｉｌｉｓ  、Ｂ．  ｍｅｇａｔｅｒｉｕｍ等のＢａｃｉｌｌｕｓ属のグラム陽性細菌；Ｃｌｏｓｔｒｉｄｉｕｍ  ａｃｅｔｏｂｕｔｙｌｉｃｕｍ、Ｃ．  ｂｅｉｊｅｒｉｎｃｋｉｉ等のＣｌｏｓｔｒｉｄｉｕｍ属のグラム陽性細菌；Ａｒｔｈｒｏｂａｃｔｅｒ  ｓｉｍｐｌｅｘ等のＡｒｔｈｒｏｂａｃｔｅｒ属のグラム陽性細菌；Ｃｏｒｙｎｅｂａｃｔｅｒｉｕｍ  ｇｌｕｔａｍｉｃｕｍ、Ｂｒｅｖｉｂａｃｔｅｒｉｕｍ  ａｍｍｏｎｉａｇｅｎｅｓ、Ｂ．ｆｌａｖｕｍ、Ｐｒｏｐｉｏｎｉｂａｃｔｅｒｉｕｍ  ｓｐ．等のその他のグラム陽性細菌などを挙げることができる。
さらに、Ｎｏｃａｒｄｉａ  ｒｈｏｄｏｃｒｏｕｓ、Ｓｔｒｅｐｔｏｍｙｃｅｓ  ｐｈａｅｏｃｈｒｏｍｏｇｅｎｅｓ、Ｓ．ｒｉｍｏｓｕｓ、Ｓ．ｒｏｓｅｏｃｈｒｏｍｏｇｅｎｅｓ、Ｓ．ｔｅｎｄａｅ、Ｓ．ｒｉｍｏｓｕｓ等の放線菌、Ｓａｃｃｈａｒｏｍｙｃｅｓ  ｓｐ．、Ｈａｎｓｅｎｕｌａ  ｊａｄｉｎｉｉ  、Ｃａｎｄｉｄａ  ｔｒｏｐｉｃａｌｉｓ、Ｒｈｏｄｏｔｏｒｕｌａ  ｍｉｎｕｔａ等の酵母、Ｒｈｉｚｏｐｕｓ  ｎｉｇｒｉｃａｎｓ、Ｒ．ｓｔｏｌｏｎｏｆｅｒ、Ｃｕｒｖｕｌａｒｉａ  ｌｕｎａｔａ、Ａｓｐｅｒｇｉｌｌｕｓｏｃｈｒａｃｅｕｓ、Ａ．ｎｉｇｅｒ、Ｐｅｎｉｃｉｌｌｉｕｍ  ｃｈｒｙｓｏｇｅｎｕｍ等の糸状菌などを挙げることができる。
また、上述した微生物の内、生体触媒として２種以上の異なる微生物を宿主微生物として用いてもよい。
【００３８】
ヌクレアーゼ生産機能を持つ微生物としては、例えば、スタフィロコッカス属、アスペルギルス属等が挙げられる。これら微生物のヌクレアーゼ生産機能を持つ遺伝子情報が導入された宿主微生物は、ヌクレアーゼを生産する機能を有する。
【００３９】
ヌクレアーゼ生産機能を持つ遺伝子情報が導入された宿主微生物は、所有している遺伝子情報を基に、ヌクレアーゼの生産を行う。この宿主微生物は、生産したヌクレアーゼを微生物外に分泌する。
【００４０】
第１生体触媒培養槽５は、宿主微生物が好適に増殖するための手段を備えていることが好ましい。この手段としては、例えば、温度調整手段、ｐＨ調整手段、基質濃度制御手段、圧力制御手段、撹拌手段等が挙げられる。
【００４１】
第１生体触媒培養槽５は、送水手段２０の上澄み水送水ライン２１を介して、可溶化処理槽２と接続されている。また、第１生体触媒培養槽５は、培地供給ライン５５を介して基質槽６と接続されている。さらに、第１生体触媒培養槽５は、図示略の余剰微生物排出ラインを介して、過剰に増殖した宿主微生物を第１生体触媒培養槽５外に排出できるようになっている。
なお、第１生体触媒培養槽５は、過剰に増殖した微生物を、消化槽３で消化処理できるように、余剰汚泥送泥ラインを介して消化槽３と接続されていてもよい。
【００４２】
基質槽６は、第１生体触媒培養槽５に供給するための培地が貯留されている槽である。培地としては、第１生体触媒培養槽５内の微生物を培養できるものであれば特に限定されないが、炭素源、窒素原、無機塩類等を含有するものであると好ましい。
炭素源としては、グルコース、フルクトース、シュークロース等の糖類；デンプン又はデンプン加水分解物等の炭水化物が挙げられる。
窒素源としては、アンモニア、塩化アンモニウム、硫酸アンモニウム、酢酸アンモニウム等の無機酸または有機酸のアンモニウム塩、ペプトン、肉エキス、酵母エキス、コーンスティーブリカー、カゼイン加水分解物、大豆粕、大豆粕加水分解物、各種発酵菌体消化物等が挙げられる。
無機塩類としては、リン酸マグネシウム、硫酸マグネシウム、塩化ナトリウム、リン酸第一カリウム、リン酸第二カリウム、硫酸第一鉄、硫酸マンガン、硫酸銅、炭酸カルシウム、塩化コバルト、塩化ニッケル等が挙げられる。
基質槽６は、培地供給ライン５５を介して第１生体触媒培養槽５と接続されている。
【００４３】
送水手段２０は、第１生体触媒培養槽５内の上澄み水を消化槽３に送水する手段である。なお、送水手段２０は、ポンプＰ１と、上澄み水送水ライン２１と、を備える。ポンプＰ１は、上澄み水送水ライン２１の途中に設けられている。このポンプＰ１が作動すると、第１生体触媒培養槽５内の上澄み水が、上澄み水送水ライン２１を介して可溶化処理槽２に送られる。
【００４４】
次に、本実施形態の汚泥処理システム２００のそれぞれの構成要素の作用を説明すると共に、当該汚泥処理システムを用いた汚泥処理方法について説明する。
【００４５】
本実施形態の汚泥処理方法は、ヌクレアーゼ生産機能を有する宿主微生物（生体触媒）を培養する生体触媒培養工程と、ヌクレアーゼ含有水および有機性汚泥を撹拌混合して可溶化処理する可溶化処理工程と、可溶化処理した有機性汚泥を消化処理する消化処理工程と、を有する。
【００４６】
より詳細には、第１生体触媒培養槽５で、ヌクレアーゼ生産機能を有する遺伝子を導入されて、ヌクレアーゼ生産機能を持つ宿主微生物（生体触媒）を培養する生体触媒培養工程と、可溶化処理槽２で、宿主微生物（生体触媒）が分泌したヌクレアーゼを含むヌクレアーゼ含有水および有機性汚泥を撹拌混合して、有機性汚泥をヌクレアーゼの働きにより可溶化処理する可溶化処理工程と、消化槽３で、可溶化処理した有機性汚泥を消化処理して、消化汚泥およびバイオガスを得る消化処理工程と、を有する。
【００４７】
また、本実施形態の汚泥処理方法は、脱水装置４で、消化処理工程で生じた消化汚泥を脱水して脱水汚泥および脱離液を得る脱水工程と、基質槽６から第１生体触媒培養槽５に培地を供給する培地供給工程と、を有していてもよい。
以下、それぞれの工程のうち、第１の実施形態と同じものについては、省略または簡略する。
【００４８】
微生物培養工程は、第１生体触媒培養槽５で、ヌクレアーゼ生産機能を有する遺伝子を導入されて、ヌクレアーゼ生産機能を持つ宿主微生物（生体触媒）を培養する工程である。遺伝子組み換えによってヌクレアーゼ生産機能を有する遺伝子情報を導入された宿主微生物は、所有している遺伝子情報を基に、ヌクレアーゼの合成を行う。この宿主微生物は、生産したヌクレアーゼを微生物外に分泌する。
【００４９】
次に、分泌したヌクレアーゼと、微生物とを固液分離する。この方法としては、例えば、重力沈殿やろ過を用いた方法が挙げられる。固液分離して得たヌクレアーゼを含む上澄み水（ヌクレアーゼ含有水）は、送水手段２０によって消化槽３に送られる。
【００５０】
培地供給工程は、基質槽６に貯留されている培地を、第１生体触媒培養槽５に供給する工程である。基質槽６内の培地は、培地供給ラインを介して第１生体触媒培養槽５に送られる。第１生体触媒培養槽５に供給される培地の量は、第１生体触媒培養槽５内の生体触媒量、基質濃度、供給する培地の種類等によって、適宜、決定するとよい。
【００５１】
以上の構成によれば、有機性汚泥とヌクレアーゼ含有水とを撹拌混合する可溶化処理を行い、有機性汚泥を可溶化し、可溶化した有機性汚泥を消化処理するため、多大なエネルギーの投入や付帯設備の導入等をすることなく、有機性汚泥の消化処理効率を向上できる。そのため、有機性汚泥の消化処理におけるメタンガス変換効率を向上することができ、また、消化汚泥の生成量を低減できる。
【００５２】
また、有機性汚泥とヌクレアーゼとを撹拌混合して、有機性汚泥を低分子化させるため、消化処理において、有機性汚泥の消化処理が効率的に行われる。これにより、消化汚泥の生成量が少なくなり、最終処分する汚泥量を少なくすることができる。すると、汚泥の最終処分に要する焼却等のコストを削減することが可能となる。
【００５３】
また、ヌクレアーゼ含有水を使用して有機性汚泥を低分子化しているため、従来の低分子化技術（オゾン、超音波破砕、水熱処理等）に比べて、大掛かりな装置等が不要となる。これにより、大掛かりな装置等の導入に要するコストや運転コストを削減できる。
【００５４】
また、ヌクレアーゼ生産機能を有する遺伝子を導入した宿主微生物にヌクレアーゼを分泌させているため、市販の高価なヌクレアーゼが不要となる。これにより、ヌクレアーゼによる可溶化処理に要するコストを削減することが可能となる。
【００５５】
（第３の実施形態）
図５の汚泥処理システム３００は、汚泥処理システム１００と同様に、可溶化処理槽２と、消化槽３と、を備える。
また、汚泥処理システム３００は、第２生体触媒培養槽８と、送水手段２２と、を備える。なお、送水手段２２は、ポンプＰ２と、生体触媒送水ライン２３と、を備える。
汚泥処理システム３００は、図５に示すように、脱水装置４と、基質槽９と、を備えていてもよい。
【００５６】
第２生体触媒培養槽８は、遺伝子組み換えによって、細胞表面にヌクレアーゼを提示（アーミング）した宿主微生物（生体触媒）を培養する槽である。
【００５７】
第２生体触媒培養槽８は、宿主微生物が好適に増殖するための手段を備えていることが好ましい。この手段としては、例えば、温度調整手段、ｐＨ調整手段、基質濃度制御手段、圧力制御手段、撹拌手段等が挙げられる。
【００５８】
第２生体触媒培養槽８は、送水手段２２の生体触媒送水ライン２３を介して、可溶化処理槽２と接続されている。また、第２生体触媒培養槽８は、培地供給ライン５６を介して基質槽９と接続されている。さらに、第２生体触媒培養槽８は、図示略の余剰微生物排出ラインを介して、過剰に増殖した宿主微生物を第２生体触媒培養槽８外に排出できるようになっている。
なお、過剰に増殖した宿主微生物を、消化槽３で消化処理できるように、第２生体触媒培養槽８は、余剰汚泥送泥ラインを介して消化槽３と接続されていてもよい。
【００５９】
基質槽９は、第２生体触媒培養槽８に供給するための培地が貯留されている槽である。基質槽９は、培地供給ライン５６を介して第２生体触媒培養槽８と接続されている。
【００６０】
送水手段２２は、第２生体触媒培養槽８の宿主微生物を含むヌクレアーゼ含有水を消化槽３に送水する送水手段である。なお、送水手段２２は、ポンプＰ２と、生体触媒送水ライン２３と、を備える。ポンプＰ２は、生体触媒送水ライン２３の途中に設けられている。このポンプＰ２が作動すると、第２生体触媒培養槽８内のヌクレアーゼ含有水が、生体触媒送水ライン２３を介して可溶化処理槽２に送られる。
【００６１】
次に、本実施形態の汚泥処理システム３００のそれぞれの構成要素の作用を説明すると共に、当該汚泥処理システムを用いた汚泥処理方法について説明する。
【００６２】
本実施形態の汚泥処理方法は、細胞表面にヌクレアーゼを提示した宿主微生物（生体触媒）を培養する生体触媒培養工程と、細胞表面にヌクレアーゼを提示した宿主微生物（生体触媒）を含むヌクレアーゼ含有水および有機性汚泥を撹拌混合して可溶化処理する可溶化処理工程と、可溶化処理した有機性汚泥を消化処理する消化処理工程と、を有する。
【００６３】
より詳細には、第２生体触媒培養槽８で、ヌクレアーゼを細胞表面に提示した宿主微生物（生体触媒）を培養する生体触媒培養工程と、可溶化処理槽２で、細胞表面にヌクレアーゼを提示した宿主微生物（生体触媒）を含むヌクレアーゼ含有水および有機性汚泥を撹拌混合して、有機性汚泥をヌクレアーゼの働きにより低分子化させる可溶化処理工程と、消化槽３で、低分子化させた有機性汚泥を消化処理して、消化汚泥およびバイオガスを得る消化処理工程と、を有する。
【００６４】
また、本実施形態の汚泥処理方法は、脱水装置４で、消化処理工程で生じた消化汚泥を脱水して脱水汚泥および脱離液を得る脱水工程と、基質槽９から第２生体触媒培養槽８に培地を供給する培地供給工程と、を有していてもよい。
以下、それぞれの工程のうち、第１の実施形態と同じものについては、省略または簡略する。
【００６５】
微生物培養工程は、遺伝子組み換えによって、細胞表面にヌクレアーゼを提示した宿主微生物（生体触媒）を培養する工程である。
【００６６】
図６に、第３の実施形態に好適に用いられる生体触媒の説明図を示す。
図６は、細胞表面にヌクレアーゼを提示した宿主微生物を示す図である。図６中の１ｂは宿主微生物であり、２ｂはヌクレアーゼである。細胞表面にヌクレアーゼを提示させる方法としては、例えば、遺伝子組み換えによって、ヌクレアーゼと細胞表層提示タンパクをコードしている遺伝子とを、特定の微生物に導入する方法が挙げられる。遺伝子の発現により、微生物の細胞内からヌクレアーゼが合成された後、ヌクレアーゼが細胞表面に提示される。ヌクレアーゼを提示した宿主微生物は、ヌクレアーゼによる有機性汚泥の可溶化効果を有する、生体触媒となる。
【００６７】
第２生体触媒培養槽８内の細胞表面にヌクレアーゼを提示した宿主微生物は、送水手段２２によって、消化槽３に送られる。
【００６８】
培地供給工程は、基質槽９に貯留されている培地を、第２生体触媒培養槽８に供給する工程である。基質槽９内の培地は、培地供給ラインを介して第２生体触媒培養槽８に送られる。第２生体触媒培養槽８に供給される培地の量は、第２生体触媒培養槽８内の宿主微生物の量、基質濃度、供給する培地の種類等によって、適宜、決定するとよい。
【００６９】
以上の構成によれば、有機性汚泥とヌクレアーゼ含有水とを撹拌混合する可溶化処理を行い、有機性汚泥を可溶化し、可溶化した有機性汚泥を消化処理するため、多大なエネルギーの投入や付帯設備の導入等をすることなく、有機性汚泥の消化処理効率を向上できる。そのため、有機性汚泥の消化処理におけるメタンガス変換効率を向上することができ、また、消化汚泥の生成量を低減できる。
【００７０】
また、有機性汚泥とヌクレアーゼとを撹拌混合して、有機性汚泥を低分子化させるため、消化処理において、有機性汚泥の消化処理が効率的に行われる。これにより、消化汚泥の生成量が少なくなり、最終処分する汚泥量を少なくすることができる。すると、汚泥の最終処分に要する焼却等のコストを削減することが可能となる。
【００７１】
また、ヌクレアーゼを細胞表面に提示した宿主微生物（生体触媒）によって、消化汚泥を可溶化処理しているため、市販の高価なヌクレアーゼが不要となる。これにより、ヌクレアーゼによる可溶化処理に要するコストを削減することが可能となる。
【００７２】
また、ヌクレアーゼ分泌機能を有する宿主微生物（生体触媒）を用いた場合と比べて、宿主微生物とヌクレアーゼ含有水とを固液分離する必要がないため、第２生体触媒培養槽８の運転管理を簡略化できる。さらに、ヌクレアーゼを高濃度に集積することができるため、第２生体触媒培養槽８の容積を小さくすることができる。これにより、大きな設置スペースの確保や設備導入コストを削減することができる。
【００７３】
（第４の実施形態）
図７の汚泥処理システム４００は、汚泥処理システム１００と同様に、可溶化処理槽２と、消化槽３と、を備える。
また、汚泥処理システム４００は、第１生体触媒培養槽５と、送水手段２０と、制御手段３０と、を備える。なお、送水手段２０は、ポンプＰ１と、上澄み水送水ライン２１と、を備える。また、制御手段３０は、制御装置３１と、濃度計３２と、流量計３３と、を備える。
汚泥処理システム４００は、図４に示すように、脱水装置４と、基質槽６と、を備えていてもよい。
なお、以下の説明では、第２の実施形態と同じものについては、省略または簡略する。
【００７４】
制御手段３０の濃度計３２は、図示略の排水処理施設から有機性汚泥送泥ライン５１を介して可溶化処理槽２に送られる、有機性汚泥中の汚泥濃度（浮遊物質（ＳＳ）濃度）を計測する計測器である。濃度計３２は、制御装置３１に接続されている。
【００７５】
制御手段３０の流量計３３は、図示略の排水処理施設から有機性汚泥送泥ライン５１を介して消化槽３に送られる、有機性汚泥の流量を計測する計測器である。流量計３３は、制御装置３１に接続されている。
【００７６】
制御手段３０の制御装置３１は、濃度計３２から送られる有機性汚泥中の汚泥濃度と、流量計３３から送られる有機性汚泥の流量とに基づいて、送水手段２０が第１生体触媒培養槽５から消化槽３に供給するヌクレアーゼ含有水の供給量を制御する装置である。制御装置３１は、図示略の演算部および制御部を備える。
【００７７】
制御装置３１は、第１生体触媒培養槽５から可溶化処理槽２に供給するヌクレアーゼ含有水の供給量を決定し、その供給量となるように、送水手段２０のポンプＰ１を制御する。
【００７８】
次に、本実施形態の汚泥処理システム４００のそれぞれの構成要素の作用を説明すると共に、当該汚泥処理システムを用いた汚泥処理方法について説明する。
【００７９】
本実施形態の汚泥処理方法は、ヌクレアーゼ生産機能を有する宿主微生物（生体触媒）を培養する生体触媒培養工程と、可溶化処理槽２に供給するヌクレアーゼ含有水の適正供給量を算出する供給量算出工程と、算出した適正供給量となるように、可溶化処理槽２にヌクレアーゼ含有水を供給するヌクレアーゼ供給工程と、ヌクレアーゼ含有水および有機性汚泥を撹拌混合して可溶化処理する可溶化処理工程と、可溶化処理した有機性汚泥を消化処理する消化処理工程と、を有する。
【００８０】
より詳細には、第１生体触媒培養槽５で、ヌクレアーゼ生産機能を有する遺伝子を導入されて、ヌクレアーゼ生産機能を持つ宿主微生物（生体触媒）を培養する生体触媒培養工程と、制御装置３１の演算部が、有機性汚泥送泥ライン５１を介して可溶化処理槽２に送られる、有機性汚泥の汚泥濃度および流量に基づいて、可溶化処理槽２に供給するヌクレアーゼ含有水の適正供給量を算出する供給量算出工程と、第１生体触媒培養槽５から可溶化処理槽２に供給するヌクレアーゼ含有水の供給量が、演算部が算出した適正供給量となるように、宿主微生物が分泌したヌクレアーゼを含むヌクレアーゼ含有水を供給するヌクレアーゼ供給工程と、可溶化処理槽２で、ヌクレアーゼ含有水および有機性汚泥を撹拌混合して、有機性汚泥をヌクレアーゼの働きにより可溶化処理する可溶化処理工程と、消化槽３で、可溶化処理した有機性汚泥を消化処理して、消化汚泥およびバイオガスを得る消化処理工程と、を有する。
【００８１】
また、本実施形態の汚泥処理方法は、脱水装置４で、消化処理工程で生じた消化汚泥を脱水して脱水汚泥および脱離液を得る脱水工程と、基質槽６から第１生体触媒培養槽５に培地を供給する培地供給工程と、を有していてもよい。
以下、それぞれの工程のうち、第２の実施形態と同じものについては、省略または簡略する。
【００８２】
まず、可溶化処理槽２に供給するヌクレアーゼの適正量について説明する。
図８に、１ｍｇＶＳＳ（揮発性浮遊性物質）あたりのヌクレアーゼ添加量を調整して可溶化処理した後、この有機性汚泥を消化処理した際のバイオガス発生量と、可溶化処理で添加したヌクレアーゼ添加量との関係を示す。図８から、ヌクレアーゼ添加量が、少なすぎても多すぎても、バイオガス発生量が少なくなることが分かる。
【００８３】
ヌクレアーゼ添加量が少ない場合は、有機性汚泥の可溶化処理が十分に行われず、消化処理が効率的に行われない。そのため、消化処理した際のバイオガス発生量が少なくなると考えられる。
また、ヌクレアーゼ添加量が多い場合は、可溶化処理槽２に過剰に供給されたヌクレアーゼが、有機性汚泥の可溶化に使われずに残存して、消化槽３に送られる。消化槽３に送られたヌクレアーゼが、消化槽３内における嫌気性微生物の細胞壁に作用することによって嫌気性微生物の消化処理を阻害するため、バイオガス発生量が少なくなると考えられる。
【００８４】
図８から、ヌクレアーゼ添加量が、１〜５Ｕ／ｍｇＶＳＳであると、バイオガス発生量が増加することが分かる。そのため、本実施形態では、可溶化処理槽２に供給するヌクレアーゼの添加量（供給量）が、１〜５Ｕ／ｍｇＶＳＳとなるように、ヌクレアーゼ含有水の供給量を制御する。なお、ヌクレアーゼ供給量は、２〜４Ｕ／ｍｇＶＳＳの範囲であるとより好ましい。
【００８５】
次に、制御手段３０が、可溶化処理槽２に供給するヌクレアーゼ供給量が、上述したヌクレアーゼ供給量となるように、送水手段２０を制御する方法について、各工程ごとに説明する。
【００８６】
供給量算出工程は、可溶化処理槽２に供給するヌクレアーゼ含有水の適正供給量を算出する工程である。具体的には、制御手段３０における制御装置３１の図示略の演算部が、有機性汚泥送泥ライン５１を介して、可溶化処理槽２に送られる有機性汚泥の汚泥濃度（ＳＳ濃度）と流量とに基づいて、可溶化処理槽２に供給するヌクレアーゼ含有水の適正供給量を算出する工程である。
【００８７】
制御装置３１の図示略の演算部は、一例として、以下に示す方法によって、ヌクレアーゼ含有水の適正量を算出するとよい。
【００８８】
制御装置３１の図示略の演算部は、下記式（１）および（２）を用いて、ヌクレアーゼ含有水の適正添加量を算出する。
【００８９】
ＳＶＳＳ＝ａ×Ｑｓ×Ｃｓ／１０００…（１）
ただし、ＳＶＳＳ：１時間あたりに可溶化処理槽２に流入するＶＳＳ量（ｋｇ／ｈ）、ａ：１ｇＳＳあたりのＶＳＳ量（−）、Ｑｓ：１時間あたりに可溶化処理槽２に流入する有機性汚泥量（Ｌ／ｈ）、Ｃｓ：ＳＳ濃度（ｇ／Ｌ）である。
なお、上記ＶＳＳは揮発性浮遊性物質であり、上記ＳＳは浮遊物質である。
【００９０】
Ｑｎ＝Ｒｏｐ×（ＳＶＳＳ／Ｃｎ）×１０６…（２）
ただし、Ｑｎ：ヌクレアーゼ適正供給量（ｍｌ／ｈ）、Ｒｏｐ：１ｍｇＶＳＳあたりのヌクレアーゼ適正供給量（Ｕ／ｍｇＶＳＳ）、Ｃｎ：供給するヌクレアーゼ含有水のヌクレアーゼ濃度（Ｕ／ｍｌ）である。なお、上記Ｕは、酵素活性の単位であり、１Ｕ＝（１／６０）μｋａｔと表すこともできる。
【００９１】
まず、制御装置３１の図示略の演算部は、ＳＶＳＳ（ｋｇ／ｈ）を算出する。
【００９２】
上記式（１）中の、ａ（１ｇＳＳあたりのＶＳＳ量）は、定常状態で大きく変化することがない。そのため、可溶化処理槽２に送られる１ｇＳＳあたりのＶＳＳ量は、週に一回程度の頻度で測定するとよい。測定したａは、固定値として制御装置３１の図示略の演算部に入力する。
【００９３】
また、上記式（１）中の、Ｑｓ（１時間あたりに可溶化処理槽２に流入する有機性汚泥量（Ｌ／ｈ））、Ｃｓ（ＳＳ濃度（％））はそれぞれ、濃度計３２および流量計３３によって測定される。濃度計３２および流量計３３によって、それぞれ測定されたＱｓおよびＣｓは、制御装置３１の図示略の演算部に送られる。
【００９４】
制御装置３１の図示略の演算部は、固定値として予め入力されたａ、濃度計３２から送られたＣｓおよび流量計３３から送られたＱｓと、上記式（１）とを用いて、ＳＶＳＳを算出する。
【００９５】
次に、制御装置３１の図示略の演算部は、Ｑｎ（ヌクレアーゼ適正供給量）を算出する。
【００９６】
上記式（２）中のＲｏｐ（１ｍｇＶＳＳあたりのヌクレアーゼ適正供給量）は、実験値から求める。上述したように本実施形態では、１ｍｇＶＳＳあたりのヌクレアーゼ適正供給量は、１〜５Ｕである。そのため、１〜５Ｕの範囲内の値を、固定値Ｒｏｐとして、制御装置３１の図示略の演算部に入力する。なお、Ｒｏｐは、２〜４Ｕの範囲とすることがより好ましい。
【００９７】
上記式（２）中の、Ｃｎ（供給するヌクレアーゼ含有水のヌクレアーゼ濃度（Ｕ／ｍｌ））は、定常状態で大きく変化することがない。そのため、第１生体触媒培養槽５の上澄み水（ヌクレアーゼ含有水）のヌクレアーゼ濃度は、週に一回程度の頻度で測定するとよい。測定したＣｎは、固定値として制御装置３１の演算部に入力する。
【００９８】
制御装置３１の演算部は、実験値に基づいて求めたＲｏｐ、算出したＳＶＳＳおよび予め入力されたＣｎと、上記式（２）とを用いて、Ｑｎを算出する。演算部は、算出したＱｎを、制御装置３１の図示略の制御部に送る。
【００９９】
ヌクレアーゼ供給工程は、第１生体触媒培養槽５から可溶化処理槽２に供給するヌクレアーゼ含有水の供給量が、演算部が算出した適正添加量Ｑｎとなるように、可溶化処理槽２にヌクレアーゼ含有水を供給する工程である。
【０１００】
制御装置３１の図示略の制御部は、演算部から送られたＱｎの値になるように、送水手段２０のポンプＰ１を制御して、第１生体触媒培養槽５から可溶化処理槽２に供給するヌクレアーゼ含有水の供給量を制御する。なお、ヌクレアーゼ含有水の供給量の調整は、ポンプＰ１のモーターの回転数を調整するとよい。
【０１０１】
なお、上述した本実施形態では、制御手段３０の制御装置３１は、一定時間ごとに、ヌクレアーゼ含有水の供給量を制御するとよい。すなわち、制御装置３１の演算部が、一定時間ごとにヌクレアーゼ含有水の適正供給量を算出し、制御装置３１の制御部が、一定時間ごとに演算部が算出した適正供給量に基づいて、ポンプＰ１のモーターの回転数を調整するとよい。その間隔は、例えば、１時間程度とするとよい。
【０１０２】
また、上述した本実施形態では、制御手段３０の制御装置３１は、上澄み水送水ライン２１の途中に設けられた開閉弁を調整することにより、ヌクレアーゼ含有水の供給量を調整してもよい。
【０１０３】
また、上述した実施形態では、第２生体触媒培養槽８が、汚泥処理システム１００のヌクレアーゼ含有水貯留槽１であってもよい。すなわち、送水手段２０は、ヌクレアーゼ含有水貯留槽１から可溶化処理槽２にヌクレアーゼ含有水を送水する。また、制御手段３０は、可溶化処理槽２に供給するヌクレアーゼ含有水が、適正供給量となるように、送水手段２０を制御する。なお、この場合は、基質槽６は不要である。
【０１０４】
以上の構成によれば、有機性汚泥とヌクレアーゼ含有水とを撹拌混合する可溶化処理を行い、有機性汚泥を可溶化し、可溶化した有機性汚泥を消化処理するため、多大なエネルギーの投入や付帯設備の導入等をすることなく、有機性汚泥の消化処理効率を向上できる。そのため、有機性汚泥の消化処理におけるメタンガス変換効率を向上することができ、また、消化汚泥の生成量を低減できる。
【０１０５】
また、有機性汚泥とヌクレアーゼとを撹拌混合して、有機性汚泥を低分子化させるため、消化処理において、有機性汚泥の消化処理が効率的に行われる。これにより、消化汚泥の生成量が少なくなり、最終処分する汚泥量を少なくすることができる。すると、汚泥の最終処分に要する焼却等のコストを削減することが可能となる。
【０１０６】
また、ヌクレアーゼ含有水を使用して有機性汚泥を低分子化しているため、従来の低分子化技術（オゾン、超音波破砕、水熱処理等）に比べて、大掛かりな装置等が不要となる。これにより、大掛かりな装置等の導入に要するコストや運転コストを削減できる。
【０１０７】
また、ヌクレアーゼ生産機能を有する遺伝子を導入した宿主微生物にヌクレアーゼを分泌させているため、市販の高価なヌクレアーゼが不要となる。これにより、ヌクレアーゼによる可溶化処理に要するコストを削減することが可能となる。
【０１０８】
また、制御手段３０によって、第１生体触媒培養槽５から可溶化処理槽２に、適正量のヌクレアーゼを供給することができる。これにより、ヌクレアーゼの供給量が少なく、有機性汚泥の可溶化処理が不十分となることによる、消化処理効率の低減を防ぐことができる。また、ヌクレアーゼの供給量が多く、可溶化処理槽２で有機性汚泥の可溶化に使用されずに消化槽３に送られたヌクレアーゼが、消化槽３内の嫌気性微生物の細胞壁に作用して消化処理を阻害することを抑制できる。そのため、消化槽３内における消化処理効率の低減を防ぐことができる。
【０１０９】
（第５の実施形態）
図９の汚泥処理システム５００は、汚泥処理システム１００と同様に、可溶化処理槽２と、消化槽３と、を備える。
また、汚泥処理システム５００は、第２生体触媒培養槽８と、送水手段２２と、制御手段３４と、を備える。なお、送水手段２２は、ポンプＰ２と、生体触媒送水ライン２３と、を備える。また、制御手段３４は、制御装置３５と、濃度計３６と、流量計３７と、吸光光度計３８と、を備える。
汚泥処理システム３００は、図５に示すように、脱水装置４と、基質槽９と、を備えていてもよい。
なお、以下の説明では、第３の実施形態と同じものについては、省略または簡略する。
【０１１０】
制御手段３４の濃度計３６は、図示略の排水処理施設から有機性汚泥送泥ライン５１を介して可溶化処理槽２に送られる、有機性汚泥中の汚泥濃度（ＳＳ濃度）を計測する計測器である。濃度計３６は、制御装置３５に接続されている。
【０１１１】
制御手段３４の流量計３７は、図示略の排水処理施設から有機性汚泥送泥ライン５１を介して可溶化処理槽２に送られる、有機性汚泥の流量を計測する計測器である。流量計３７は、制御装置３５に接続されている。
【０１１２】
制御手段３４の吸光光度計３８は、第２生体触媒培養槽８内の吸光度を測定する測定器である。吸光光度計３８は、制御装置３５に接続されている。
【０１１３】
制御手段３４の制御装置３５は、濃度計３６から送られる汚泥濃度と、流量計３７から送られる有機性汚泥の流量と、吸光光度計３８から送られる吸光度とに基づいて、送水手段２２が第２生体触媒培養槽８から可溶化処理槽２に供給するヌクレアーゼ含有水量を制御する装置である。制御装置３５は、図示略の演算部および制御部を備える。
【０１１４】
制御装置３５は、第２生体触媒培養槽８から可溶化処理槽２に供給するヌクレアーゼ含有水量を決定し、そのヌクレアーゼ含有水量となるように、送水手段２２のポンプＰ２を制御する。
【０１１５】
次に、本実施形態の汚泥処理システム５００のそれぞれの構成要素の作用を説明すると共に、当該汚泥処理システムを用いた汚泥処理方法について説明する。
【０１１６】
本実施形態の汚泥処理方法は、細胞表面にヌクレアーゼを提示した宿主微生物（生体触媒）を培養する生体触媒培養工程と、可溶化処理槽２に供給するヌクレアーゼ含有水の適正供給量を算出する供給量算出工程と、算出した適正供給量となるように、可溶化処理槽２にヌクレアーゼ含有水を供給するヌクレアーゼ供給工程と、ヌクレアーゼ含有水および有機性汚泥を撹拌混合して可溶化処理する可溶化処理工程と、可溶化処理した有機性汚泥を消化処理する消化処理工程と、を有する。
【０１１７】
より詳細には、第２生体触媒培養槽８で、ヌクレアーゼを細胞表面に提示した宿主微生物（生体触媒）を培養する生体触媒培養工程と、制御装置３５の演算部が、有機性汚泥送泥ライン５１を介して可溶化処理槽２に送られる、有機性汚泥の汚泥濃度、流量および第２生体触媒培養槽８内の生体触媒濃度（吸光度）に基づいて、可溶化処理槽２に供給するヌクレアーゼ含有水の適正供給量を算出する供給量算出工程と、第２生体触媒培養槽８から可溶化処理槽２に供給するヌクレアーゼ含有水の供給量が、演算部が算出した適正供給量となるように、ヌクレアーゼを細胞表面に提示した宿主微生物（生体触媒）を含むヌクレアーゼ含有水を供給する、ヌクレアーゼ供給工程と、可溶化処理槽２で、ヌクレアーゼ含有水および有機性汚泥を撹拌混合して、有機性汚泥をヌクレアーゼの働きにより可溶化処理する可溶化処理工程と、消化槽３で、可溶化処理した有機性汚泥を消化処理して、消化汚泥およびバイオガスを得る消化処理工程と、を有する。
【０１１８】
また、本実施形態の汚泥処理方法は、脱水装置４で、消化処理工程で生じた消化汚泥を脱水して脱水汚泥および脱離液を得る脱水工程と、基質槽９から第２生体触媒培養槽８に培地を供給する培地供給工程と、を有していてもよい。
以下、それぞれの工程のうち、第３の実施形態と同じものについては、省略または簡略する。
【０１１９】
まず、可溶化処理槽２に供給する生体触媒の適正量について説明する。
図１０に、１ｍｇＶＳＳあたりの生体触媒（細胞表面にヌクレアーゼを提示した宿主微生物）の添加量を調整して可溶化処理した後、この有機性汚泥を消化処理した際のバイオガス発生量と、生体触媒の添加量との関係を示す。図１０から、生体触媒の添加量が、少なすぎても多すぎても、バイオガス発生量が少なくなることが分かる。
【０１２０】
生体触媒の添加量が少ない場合は、有機性汚泥の可溶化処理が十分に行われず、消化処理が効率的に行われない。そのため、消化処理した際のバイオガス発生量が少なくなると考えられる。
また、生体触媒の添加量が多い場合は、可溶化処理槽２に過剰に供給された生体触媒が、有機性汚泥の可溶化に使われずに残存して、消化槽３に送られる。消化槽３に送られた生体触媒が、消化槽３内の嫌気性微生物の細胞壁に作用して消化処理を阻害するため、バイオガス発生量が少なくなると考えられる。
【０１２１】
図１０から、生体触媒添加量が、１ｍｇＶＳＳあたりのｃｅｌｌ数（細胞数）で、１．０×１０５〜３．０×１０６であると、バイオガス発生量が増加することが分かる。そのため、本実施形態では、可溶化処理槽２に供給する生体触媒の添加量（供給量）が、１ｍｇＶＳＳあたりのｃｅｌｌ数（細胞数）で、１．０×１０５〜３．０×１０６となるように、ヌクレアーゼ含有水の供給量を制御する。なお、生体触媒の供給量は、３．０×１０５〜２．０×１０６の範囲であるとより好ましい。
【０１２２】
次に、制御手段３４が、可溶化処理槽２に供給する生体触媒（細胞表面にヌクレアーゼを提示した宿主微生物）の供給量が、上述した生体触媒の供給量となるように、送水手段２２を制御する方法について、各工程ごとに説明する。
【０１２３】
供給量算出工程は、可溶化処理槽２に供給するヌクレアーゼ含有水の適正供給量を算出する工程である。具体的には、制御装置３５の図示略の演算部が、有機性汚泥送泥ライン５１を介して、可溶化処理槽２に送られる有機性汚泥の汚泥濃度（ＳＳ濃度）および流量と、第２生体触媒培養槽８内の吸光度とに基づいて、可溶化処理槽２に供給するヌクレアーゼ含有水の適正供給量を算出する工程である。
【０１２４】
制御装置３５の図示略の演算部は、下記式（１）、（３）および（４）を用いて、ヌクレアーゼ含有水の適正供給量を算出する。
【０１２５】
ＳＶＳＳ＝ａ×Ｑｓ×Ｃｓ／１０００…（１）
ただし、ＳＶＳＳ：１時間あたりに可溶化処理槽２に流入するＶＳＳ量（ｋｇ／ｈ）、ａ：１ｇＳＳあたりのＶＳＳ量（−）、Ｑｓ：１時間あたりに可溶化処理槽２に流入する有機性汚泥量（Ｌ／ｈ）、Ｃｓ：ＳＳ濃度（ｇ／Ｌ）である。
【０１２６】
Ｘｎ＝ｂ×ＯＤ６００…（３）
ただし、Ｘｎ：生体触媒の供給量（細胞数）、ＯＤ６００：波長６００ｎｍにおける吸光度（−）、ｂ：吸光度・細胞数変換係数である。
【０１２７】
Ｑｎ＝Ｘｏｐ×ＳＶＳＳ／Ｘｎ…（４）
ただし、Ｑｎ：ヌクレアーゼ含有水適正供給量（ｍｌ／ｈ）、Ｘｏｐ：１ｍｇＶＳＳあたりの生体触媒適正供給量（細胞数／ｍｇＶＳＳ）である。
【０１２８】
まず、制御装置３５の図示略の演算部は、上記式（１）を用いて、ＳＶＳＳを算出する。
【０１２９】
上記式（１）中の、ａは、定常状態で大きく変化することがない。そのため、可溶化処理槽２に送られる１ｇＳＳあたりのＶＳＳ量は、週に一回程度の頻度で測定するとよい。測定したａは、固定値として制御装置３５の図示略の演算部に入力する。
【０１３０】
また、上記式（１）中の、Ｑｓ、Ｃｓはそれぞれ、濃度計３６および流量計３７によって測定される。濃度計３６および流量計３７によって、それぞれ測定されたＱｓおよびＣｓは、制御装置３５の演算部に送られる。
【０１３１】
制御装置３５の演算部は、予め入力されたａ、濃度計３６から送られたＣｓおよび流量計３７から送られたＱｓおよび上記式（１）を用いて、ＳＶＳＳを算出する。
【０１３２】
また、制御装置３５の図示略の演算部は、上記式（３）を用いて、Ｘｎ（生体触媒の添加量（細胞数））を算出する。
【０１３３】
上記式（３）中の、ｂ（吸光度・細胞数変換係数）は、不変であるため、事前に計測して、演算部に入力する。上記式（３）中のＯＤ６００は、吸光光度計３８によって測定される。吸光光度計３８は、計測した第２生体触媒培養槽８内の吸光度を、制御装置３５に送る。吸光光度計３８から送られた吸光度と、上記ｂとによって、第２生体触媒培養槽８内の生体触媒濃度が得られる。
【０１３４】
制御装置３５は、事前に入力されたｂおよび吸光光度計３８から送られたＯＤ６００と、上記式（３）を用いて、Ｘｎを算出する。
【０１３５】
また、制御装置３５の図示略の演算部は、上記式（４）を用いて、Ｑｎ（ヌクレアーゼ含有水適正供給量（ｍｌ／ｈ））を算出する。
【０１３６】
上記式（４）中のＸｏｐ（１ｍｇＶＳＳあたりの生体触媒適正供給量）は、実験値から求める。上述したように本実施形態では、１ｍｇＶＳＳあたりの生体触媒の適正供給量は、細胞数で、１．０×１０５〜３．０×１０６である。そのため、１．０×１０５〜３．０×１０６の値を、固定値Ｘｏｐとして、制御装置３５の演算部に入力する。なお、Ｘｏｐは、３．０×１０５〜２．０×１０６の範囲とすることがより好ましい。
【０１３７】
制御装置３５の演算部は、算出したＳＶＳＳ、実験値に基づいて入力されたＸｏｐおよび算出したＸｎと、上記式（４）とを用いて、Ｑｎを算出する。演算部は、算出したＱｎを、制御装置３５の図示略の制御部に送る。
【０１３８】
ヌクレアーゼ供給工程は、第２生体触媒培養槽８から可溶化処理槽２に供給するヌクレアーゼ含有水の供給量が、演算部が算出した適正添加量Ｑｎとなるように、可溶化処理槽２にヌクレアーゼ含有水を供給する工程である。
【０１３９】
制御装置３５の図示略の制御部は、演算部から送られたＱｎの値になるように、送水手段２２のポンプＰ２を制御して、第２生体触媒培養槽８から可溶化処理槽２に供給するヌクレアーゼ含有水の供給量を制御する。なお、ヌクレアーゼ含有水の供給量の調整は、ポンプＰ２のモーターの回転数を調整するとよい。
【０１４０】
なお、上述した本実施形態では、制御手段３４の制御装置３５は、一定時間ごとに、ヌクレアーゼ含有水の供給量を調整するとよい。すなわち、制御装置３５の演算部が、一定時間ごとにヌクレアーゼ含有水の適正供給量を算出し、制御装置３５の制御部が、一定時間ごとに演算部が算出した適正供給量に基づいて、ポンプＰ１のモーターの回転数を調整するとよい。その間隔は、例えば、１時間程度とするとよい。
【０１４１】
なお、上述した本実施形態では、制御手段３４の制御装置３５は、生体触媒送水ライン２３の途中に設けられた開閉弁を調整することにより、ヌクレアーゼ含有水の供給量を調整してもよい。
【０１４２】
以上の構成によれば、有機性汚泥とヌクレアーゼ含有水とを撹拌混合する可溶化処理を行い、有機性汚泥を可溶化し、可溶化した有機性汚泥を消化処理するため、多大なエネルギーの投入や付帯設備の導入等をすることなく、有機性汚泥の消化処理効率を向上できる。そのため、有機性汚泥の消化処理におけるメタンガス変換効率を向上することができ、また、消化汚泥の生成量を低減できる。
【０１４３】
また、有機性汚泥とヌクレアーゼとを撹拌混合して、有機性汚泥を低分子化させるため、消化処理において、有機性汚泥の消化処理が効率的に行われる。これにより、消化汚泥の生成量が少なくなり、最終処分する汚泥量を少なくすることができる。すると、汚泥の最終処分に要する焼却等のコストを削減することが可能となる。
【０１４４】
また、ヌクレアーゼ含有水を使用して有機性汚泥を低分子化しているため、従来の低分子化技術（オゾン、超音波破砕、水熱処理等）に比べて、大掛かりな装置等が不要となる。これにより、大掛かりな装置等の導入に要するコストや運転コストを削減できる。
【０１４５】
また、ヌクレアーゼ分泌機能を有する宿主微生物（生体触媒）を用いた場合と比べて、宿主微生物とヌクレアーゼ含有水とを固液分離する必要がないため、第２生体触媒培養槽８の運転管理を簡略化できる。さらに、ヌクレアーゼを高濃度に集積することができるため、第２生体触媒培養槽８の容積を小さくすることができる。これにより、大きな設置スペースの確保や設備導入コストを削減することができる。
【０１４６】
また、制御手段３４によって、第２生体触媒培養槽８から可溶化処理槽２に、適正量のヌクレアーゼ（生体触媒）を供給することができる。これにより、ヌクレアーゼの供給量が少なく、有機性汚泥の可溶化処理が不十分となることによる、消化処理効率の低減を防ぐことができる。また、ヌクレアーゼの供給量が多く、可溶化処理槽２で有機性汚泥の可溶化に使用されずに消化槽３に送られたヌクレアーゼが、消化槽３内の嫌気性微生物の細胞壁に作用して消化処理を阻害することを抑制できる。そのため、消化槽３内の消化処理効率の低減を防ぐことができる。
【０１４７】
また、吸光光度計３８を用いることによって、第２生体触媒培養槽８内のヌクレアーゼ含有水中のヌクレアーゼ濃度（生体触媒濃度）を容易に測定できるため、可溶化処理槽２に供給するヌクレアーゼの供給量を容易に管理することができる。吸光光度計３８は、市販のものでもよいため、特別な測定器を用意せずに、ヌクレアーゼ供給量を管理できる。
【０１４８】
以上に述べた少なくとも一つの実施形態によれば、有機性汚泥およびヌクレアーゼ含有水を撹拌混合する可溶化処理を行うことによって、多大なエネルギーの投入や付帯設備の導入をすることなく、有機性汚泥の消化処理効率を向上できる。そのため、有機性汚泥の消化処理工程におけるメタンガス変換効率を向上することができ、また、消化槽における有機性汚泥の滞留時間を短縮することができる。ヌクレアーゼを使用して、有機性汚泥を低分子化しているため、従来の低分子化技術（オゾン、超音波破砕、水熱処理等）に比べて、多大なエネルギーの投入や付帯設備の導入が不要となる。
【０１４９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５０】
１…ヌクレアーゼ含有水貯留槽、２…可溶化処理槽、３…消化槽、５…第１生体触媒培養槽５、８…第２生体触媒培養槽、２０，２２…送水手段、３０，３４…制御手段。
【図１】
2018153788.tif 000003
【図２】
2018153788.tif 000004
【図３】
2018153788.tif 000005
【図４】
2018153788.tif 000006
【図５】
2018153788.tif 000007
【図６】
2018153788.tif 000008
【図７】
2018153788.tif 000009
【図８】
2018153788.tif 000010
【図９】
2018153788.tif 000011
【図１０】
2018153788.tif 000012